(57)【要約】【課題】音声と映像とからなるコンテンツの、音声の途切れのない良好な配信を行うことのできるシステムを提供する。【解決手段】移動機４００からコンテンツ配信要求をコンテンツサーバ１００に送信すると、コンテンツサーバ１００は映像データを移動パケット通信網２００経由で移動機４００に送信する。移動機４００は映像データの記憶を開始し、音声信号の送信をコンテンツサーバ１００に要求する。コンテンツサーバ１００は回線交換網３００経由で移動機４００に音声信号を送信し、移動機４００はコンテンツサーバ１００から音声信号を受信すると映像データの再生を開始する。【選択図】      図１
2005020312.tif 000002
【特許請求の範囲】
【請求項１】
映像データと音声データとを含むコンテンツをサーバから受信する移動機において、
前記サーバからパケット通信網を介してストリーム配信される映像データを受信するパケット受信手段と、
前記パケット受信手段が受信した前記映像データを遅延して出力する遅延手段と、
前記サーバから回線交換網を介して配信される音声信号を受信する音声信号受信手段と、
前記遅延手段が出力する映像データおよび前記音声信号受信手段が受信した音声信号を再生する再生手段と
を具備することを特徴とする移動機。
【請求項２】
映像データと音声データとを含むコンテンツを、サーバから移動機へ配信するコンテンツ配信システムにおいて、
前記移動機は、
前記サーバからパケット通信網を介してストリーム配信される映像データを受信するパケット受信手段と、
前記パケット受信手段が受信した前記映像データを遅延して出力する遅延手段と、
前記サーバから回線交換網を介して配信される音声信号を受信する音声信号受信手段と、
前記遅延手段が出力する映像データおよび前記音声信号受信手段が受信した音声信号を再生する再生手段とを具備し、
前記サーバは、
映像データと音声信号とを含むコンテンツを配信する際に、
前記コンテンツの映像データについては前記パケット通信網で前記移動機にストリーム配信する映像データ配信手段と、
前記コンテンツの音声信号については前記回線交換網で前記移動機に配信する音声信号配信手段とを具備する
ことを特徴とするコンテンツ配信システム。
【請求項３】
前記サーバは、前記移動機の電話番号を前記パケット通信網を介して取得し、取得した前記電話番号を用いて前記回線交換網経由で前記移動機を発呼し、この発呼によって接続された呼を用いて前記音声信号受信手段に前記音声信号を配信する
ことを特徴とする請求項２に記載のコンテンツ配信システム。
【請求項４】
前記移動機は、前記サーバの電話番号を前記パケット通信網を介して取得し、取得した前記電話番号を用いて前記回線交換網経由で前記サーバを発呼し、
前記サーバは、前記発呼によって接続された呼を用いて前記音声信号受信手段に前記音声信号を配信する
ことを特徴とする請求項２に記載のコンテンツ配信システム。
【発明の詳細な説明】
【０００１】
【発明の属する技術分野】
本発明は、通信回線を通じてコンテンツサーバおよび移動機間でコンテンツを配信するコンテンツ配信システムに関する。
【０００２】
【従来の技術】
コンテンツサーバと移動機の間で、ビデオクリップ（音楽と映像とからなるコンテンツ）等のコンテンツを配信する技術として、移動機がコンテンツの受信を開始するのと同時に再生を行うストリーム配信がある。このストリーム配信は、コンテンツを全てダウンロードするのを待つ必要がないので、ユーザへのレスポンスが早く、移動機側の記憶容量が小さい場合に特に有効である（例えば、特許文献１）。
【０００３】
【特許文献１】
特開２００２−０７７２５１号広報
【０００４】
【発明が解決しようとする課題】
ところがストリーム配信においては、パケットの遅延によってコンテンツの再生が途切れることがある。このことは以下の理由により、音楽コンテンツの再生において大きな障害となる。すなわち、音楽は定められたテンポに従って連続して演奏されることによって心地よく響くものであるが、テンポがずれたり、あるいは音楽そのものが途切れたりすると、著しく不快な響きとなり、音楽を楽しむことができない。
【０００５】
本発明は以上の問題に鑑みてなされたものであり、音声と映像とからなるコンテンツの、音声の途切れのない良好な配信を行うことのできるシステムの提供を目的とする。
【０００６】
【課題を解決するための手段】
上記の課題を解決するために、本発明は、映像データと音声データとを含むコンテンツをサーバから受信する移動機において、前記サーバからパケット通信網を介してストリーム配信される映像データを受信するパケット受信手段と、前記パケット受信手段が受信した前記映像データを遅延して出力する遅延手段と、前記サーバから回線交換網を介して配信される音声信号を受信する音声信号受信手段と、前記遅延手段が出力する映像データおよび前記音声信号受信手段が受信した音声信号を再生する再生手段とを具備することを特徴とする移動機を提供する。
【０００７】
また、本発明は、映像データと音声データとを含むコンテンツを、サーバから移動機へ配信するコンテンツ配信システムにおいて、前記移動機は、前記サーバからパケット通信網を介してストリーム配信される映像データを受信するパケット受信手段と、前記パケット受信手段が受信した前記映像データを遅延して出力する遅延手段と、前記サーバから回線交換網を介して配信される音声信号を受信する音声信号受信手段と、前記遅延手段が出力する映像データおよび前記音声信号受信手段が受信した音声信号を再生する再生手段とを具備し、前記サーバは、映像データと音声信号とを含むコンテンツを配信する際に、前記コンテンツの映像データについては前記パケット通信網で前記移動機にストリーム配信する映像データ配信手段と、前記コンテンツの音声信号については前記回線交換網で前記移動機に配信する音声信号配信手段とを具備することを特徴とするコンテンツ配信システムを提供する。
【０００８】
移動機からコンテンツ配信要求をサーバに送信すると、サーバは映像データをパケット通信網経由で移動機に送信する。移動機は映像データの記憶を開始し、音声信号の送信をサーバに要求する。サーバは回線交換網経由で移動機に音声信号を送信し、移動機はサーバから音声信号を受信すると映像データの再生を開始する。
【０００９】
【発明の実施の形態】
以下、図面を参照して、本発明の実施の形態について説明する。
【００１０】
（１．構成）
（１−１．システム全体の構成）
図１は、本発明の実施形態にかかるシステム全体の構成を示すブロック図である。同図に示すように本システムはコンテンツサーバ１００、移動パケット通信網２００、回線交換網３００、移動機４００および基地局５００からなる。
【００１１】
コンテンツサーバ１００は、移動機４００のユーザに提供されるコンテンツ（ビデオクリップ等）を表すコンテンツデータを記憶している。また、コンテンツサーバ１００は、移動パケット通信網２００および回線交換網３００を通じて、移動機４００と通信を行う機能を有する。本システムでは、１台の移動機で複数の通信を並行して行うことのできるマルチコール機能を使用することが可能となっている。このマルチコール機能を用いることによって、データ通信と音声通話を並行して行うことが可能である。なお、実際には、複数のコンテンツサーバ、複数の移動機、複数の基地局が存在するが、ここでは簡単のためにひとつのコンテンツサーバ１００、ひとつの移動機４００、ひとつの基地局５００のみを例示している。
【００１２】
（１−２．コンテンツサーバの構成）
図２はコンテンツサーバ１００の構成を示すブロック図である。図において、ＲＯＭ１０３にはコンテンツサーバ１００の各部を制御する制御プログラムが格納されており、ＣＰＵ１０２はＲＯＭ１０３から読み出した制御プログラムをＲＡＭ１０４をワークエリアとして実行する。記憶部１０５には音声データと映像データとからなるコンテンツデータが複数記憶され、また、これらのコンテンツのメニューを示すメニューデータが記憶されている。デコーダ１０６はＭＰＥＧ（Ｍｏｖｉｎｇ  Ｐｉｃｔｕｒｅ  Ｅｘｐｅｒｔｓ  Ｇｒｏｕｐ）４形式等のデータ圧縮方法によって圧縮されている音声データを伸長して音声信号に変換する機能を有する。信号発生回路１０７は、移動機４００によって検出可能な映像再生開始信号を発生する機能を有する。通信部１０８は、移動パケット通信網２００および回線交換網３００に接続されており、両網を通じて移動機４００と通信を行う。また、通信部１０８は複数の通信を並行して行う機能を有することにより、前記マルチコールに対応している。
【００１３】
（１−３．移動機の構成）
図３は移動機４００の構成を示すブロック図である。図において、ＲＯＭ４０３には移動機４００の各部を制御する制御プログラムやコンテンツを閲覧するためのブラウザプログラムが格納されており、ＣＰＵ４０２はＲＯＭ４０３から読み出したプログラムをＲＡＭ４０４をワークエリアとして実行する。記憶部４０５はコンテンツサーバ１００から送信されたメニューデータおよび映像データを記憶する。映像データはＭＰＥＧ４形式等のデータ圧縮方法によって圧縮されており、この映像データはデコーダ４０６によって伸長された後、表示部４０８において映像として再生される。信号検出回路４０７は、コンテンツサーバ１００の信号発生回路１０７によって発生された映像再生開始信号を検出する機能を有する。音声は音声出力部４０９によって再生される。通信部４１０は図示せぬアンテナを備え、基地局５００との間で無線通信を行う。また、通信部４１０は複数の通信を並行して行う機能を有することにより、前記マルチコールに対応している。ユーザは操作部４１１を操作して各種の指示を入力する。
【００１４】
（２．動作）
本実施形態の動作について説明する。図４は本実施形態にかかるシステム全体の動作を示すシーケンス図である。なお、図４において、実線矢印は移動パケット通信網２００を通じて行われる通信を示す。また、破線矢印は回線交換網３００を通じて行われる通信を示す。
【００１５】
ユーザが移動機４００の操作部４１１を操作してブラウザを起動する指示を入力すると、ＣＰＵ４０２はブラウザのプログラムを実行し、表示部４０８にブラウザの画面を表示する（ステップＳ１１）。
【００１６】
ブラウザ起動後、ユーザが移動機４００から移動パケット通信網２００を通じてコンテンツサーバ１００へコンテンツ配信要求を送信する（ステップＳ１２）。このとき、前記コンテンツ配信要求とともに、移動機４００の電話番号が、移動機４００からコンテンツサーバ１００へ送信される。コンテンツサーバ１００がコンテンツ配信要求を受信すると、ＣＰＵ１０２は記憶部１０５からコンテンツのメニューデータを読み出し（ステップＳ１３）、メニューデータを移動パケット通信網２００を通じて移動機４００へ送信する（ステップＳ１４）。
【００１７】
移動機４００が前記メニューデータを受信すると、ブラウザの機能により当該メニューデータに基づくメニュー画面が表示部４０８に表示される。ユーザは表示部４０８に表示されたメニューから所望のコンテンツを選択し、操作部４１１を操作してコンテンツ選択の指示を入力する（ステップＳ１５）。この入力操作によってコンテンツ選択情報が生成され、このコンテンツ選択情報が移動機４００から移動パケット通信網２００を通じてコンテンツサーバ１００へ送信される（ステップＳ１６）。
【００１８】
コンテンツサーバ１００がコンテンツ選択情報を受信すると、コンテンツサーバ１００は、先に取得した移動機４００の電話番号を用いて回線交換網３００経由で移動機４００を発呼し、コンテンツサーバ１００と移動機４００との間で呼を接続する（ステップＳ１７）。コンテンツサーバ１００と移動機４００の間で回線交換網３００経由で呼が接続されたのをＣＰＵ１０２が確認した後、ＣＰＵ１０２は前記コンテンツ選択情報に基づいて、ユーザーの選択したコンテンツの映像データを記憶部１０５から読み出し（ステップＳ１８）、映像データを移動パケット通信網２００を通じて移動機４００へ送信する（ステップＳ１９）。
【００１９】
移動機４００がコンテンツサーバ１００から送信された前記映像データを受信すると、記憶部４０５が映像データの記憶を開始する（ステップＳ２０）。映像データの記憶が開始されると、移動機４００は、音声送信要求を移動パケット通信網２００を通じてコンテンツサーバ１００へ送信する（ステップＳ２１）。なお、この記憶処理は、移動機４００が映像データを受信してから所定の時間、一時的に映像データを蓄積しておくことを目的としている。従って、記憶部４０５の記憶容量は映像データ全体の容量より少なくてよい。
【００２０】
一方、コンテンツサーバ１００が音声送信要求を受信すると、コンテンツサーバ１００の信号発生回路１０７は、移動電話で用いられる音声周波数帯域内の特定周波数のトーン信号を用いた映像再生開始信号を一定時間（例えば１秒間）発生させて移動機４００へ送信し、これに続いてデコーダ１０６がコンテンツの音声データの伸長を開始し（ステップＳ２２）、伸長された音声を回線交換網３００を通じて移動機４００へ送信する（ステップＳ２３）。
【００２１】
移動機４００が前記映像再生開始信号を受信した後、信号検出回路４０７が前記映像再生開始信号を検出する（ステップＳ２４）。記憶部４０５に記憶されていた前記映像データは、前記映像再生開始信号を検出してから一定時間後（この例では１秒後）にデコーダ４０６に送られる。当該映像データはデコーダ４０６によって伸長され、表示部４０８に送られ、映像の再生が開始される（ステップＳ２５）。
【００２２】
なお、上記の動作例では、映像再生開始信号を１秒間発生させ、これに続いて音声データの伸長を開始するとしたが、映像再生開始信号を発生させる時間の長さは任意である。ただし、移動機４００において信号検出回路４０７が映像再生開始信号を検出してから、映像データをデコーダ４０６へ送り始めるまでの時間は、コンテンツサーバ１００が映像再生開始信号を発生させる時間の長さに等しくする。
【００２３】
また、移動機４００は、コンテンツサーバ１００から送信された映像再生開始信号を検出した後、映像再生開始信号の長さだけ、移動機４００の音声出力を消音することが望ましい。これによって、コンテンツに含まれる音声以外の音声がユーザに届くのを防ぐことができる。
【００２４】
以上の動作により、映像と音声とからなるコンテンツの、音声の途切れのない再生が可能となる。また、移動機４００が映像の再生を開始するのと同期して、音声の再生が開始されることとなる。
【００２５】
（３．変形例）
以上説明した形態に限らず、本発明は種々の形態で実施可能である。例えば、上述の実施形態を以下のように変形した形態でも実施可能である。
【００２６】
移動機４００の電話番号はステップＳ１６でコンテンツ選択情報とともにコンテンツサーバ１００へ送信してもよい。この変形例によれば、前述の実施形態と同様の効果を得ることができる。
【００２７】
上記動作では、音声信号の配信は、ステップＳ１７においてコンテンツサーバ１００から回線交換網３００経由で移動機４００を発呼することにより接続された呼を用いて行ったが、移動機４００から回線交換網３００経由でコンテンツサーバ１００を発呼することにより接続された呼を用いて行ってもよい。図５は本変形例におけるシステム全体の動作を示すシーケンス図である。図５を参照しながら本変形例について説明する。なお、ここでは、図４のシーケンス図によって示される動作との違いを説明する。図５でステップ番号にダッシュ（’）を付したステップＳ１２’、Ｓ１４’およびＳ１７’が図４との相違点である。
なお、図５において、実線矢印は移動パケット通信網２００を通じて行われる通信を示す。また、破線矢印は回線交換網３００を通じて行われる通信を示す。
【００２８】
ステップＳ１２’では移動機４００からコンテンツサーバ１００へ移動パケット通信網２００を通じてコンテンツ配信要求のみを送信する。コンテンツサーバ１００がコンテンツ配信要求を受信すると、ＣＰＵ１０２は記憶部１０５からコンテンツのメニューデータを読み出し（ステップＳ１３）、メニューデータを移動パケット通信網２００を通じて移動機４００へ送信する（ステップＳ１４’）。このとき、前記メニューデータとともにコンテンツサーバ１００の電話番号を移動パケット通信網２００を通じて移動機４００へ送信する。
【００２９】
移動機４００が前記メニューデータを受信すると、当該メニューデータに基づくメニュー画面が表示部４０８に表示される。ユーザは表示部４０８に表示されたメニューから所望のコンテンツを選択し（ステップＳ１５）、操作部４１１を操作してコンテンツ選択情報を移動パケット通信網２００を通じてコンテンツサーバ１００へ送信する（ステップＳ１６）。
【００３０】
次に、移動機４００は先に取得したコンテンツサーバ１００の電話番号を用いて回線交換網３００経由でコンテンツサーバ１００を発呼し、この発呼によって移動機４００とコンテンツサーバ１００との間で呼を接続する（ステップＳ１７’）。ステップＳ１８以降の動作は、図４のステップＳ１８以降と共通である。この変形例によれば、前述の実施形態と同様の効果を得ることができる。
【００３１】
【発明の効果】
本発明により、音声と映像とからなるコンテンツの、音声の途切れのない良好な配信を行うことができる。
【図面の簡単な説明】
【図１】本発明の実施形態にかかるシステム全体の構成を示すブロック図である。
【図２】同実施形態にかかるコンテンツサーバ１００の構成を示すブロック図である。
【図３】同実施形態にかかる移動機４００の構成を示すブロック図である。
【図４】同実施形態にかかるシステム全体の動作を示すシーケンス図である。
【図５】変形例におけるシステム全体の動作を示すシーケンス図である。
【符号の説明】
１００…コンテンツサーバ、２００…移動パケット通信網、３００…回線交換網、４００…移動機、５００…基地局
【図１】
2005020312.tif 000003
【図２】
2005020312.tif 000004
【図３】
2005020312.tif 000005
【図４】
2005020312.tif 000006
【図５】
2005020312.tif 000007